(57)【特許請求の範囲】
【請求項１】
使用状態と折畳状態とに変更自在なスタックテーブルであって、
使用状態において水平状態となり、折畳状態において起立状態となる天板と、
前記天板の裏側の両側に設けられ、当該天板を支持する脚と、
前記天板の裏側に固定され、前記天板が水平状態又は起立状態となるように前記脚の上部と回動自在に接続されるとともに、当該天板を水平状態又は起立状態に維持するロック機構と、
前記ロック機構を覆い、前記回動時に前記脚の上部と対向する外面が、前記回動の軸と直交する面内にて前記回動の軸を中心とした円弧状に形成されているロック機構カバーと、
一端が前記ロック機構と回動自在に接続され、他端側に荷物を吊り下げる鉤状部が設けられたフックと、を備え、
前記天板が回動された場合でも前記フックが自重又は前記荷物の重さによって垂下されるスタックテーブル。
【請求項２】
前記ロック機構が、前記天板を起立状態とした場合に前記天板の裏側と前記脚とを所定距離以上離間させた状態で維持する請求項１に記載のスタックテーブル。
【請求項３】
前記ロック機構と接続され、当該スタックテーブルを前記使用状態又は前記折畳状態に変更するレバーを備え、
前記レバーは、基端が前記ロック機構と回動自在に接続され、前記基端を中心に先端を前記天板側へ回動させた場合に前記天板の維持を解除し、前記基端を中心に先端を前記天板と反対側へ回動させた場合に前記天板を水平状態又は起立状態に維持させ、前記基端から前記先端にかけて前記天板から離れるように湾曲して形成された請求項１又は２に記載のスタックテーブル。
【発明の詳細な説明】
【技術分野】
【０００１】
本発明は、スタックテーブルの技術に関する。
【背景技術】
【０００２】
天板を脚部に対して蝶着し、使用時には天板を水平状態若しくはこれに近い状態（使用状態）とし、収納時には天板を垂直状態若しくはこれに近い状態（収納状態）に変更することで、水平方向に複数重ねて並べることができるテーブルや机等（以下単にスタックテーブルと称する）が知られている。
【０００３】
スタックテーブルには、平行スタックテーブルと称されるもの、サイドスタックテーブルと称されるものがある。所謂平行スタックテーブルは、天板を折畳状態として複数のスタックテーブルを重ねて並べる際、複数のスタックテーブルを奥行き方向に一直線に重ねて並べることができる。所謂サイドスタックテーブルは、天板を折畳状態として複数のスタックテーブルを重ねて並べる際、隣接するスタックテーブルを少なくとも脚の幅分だけテーブルの幅方向にずらしながらスタックテーブルの奥行き方向に重ねて並べることができる。
【０００４】
例えば、特許文献１には、天板を垂直にして平行に重ね合わせて収納することができる平行スタックテーブルが開示されている。
【先行技術文献】
【特許文献】
【０００５】
【特許文献１】実用新案登録第３０５６７８８号公報
【発明の概要】
【発明が解決しようとする課題】
【０００６】
大学のゼミや多目的室等では、例えば、目的に応じてスタックテーブルを配置して、余ったスタックテーブルを折畳状態にしてスタックする、或いは折畳状態のスタックテーブルを使用状態にして配置するといった運用がなされている。
【０００７】
このスタックテーブルの使用状態と折畳状態の変更は使用者が行うことになるが、この変更時に天板等に手を添えて動かすことになるため、使用者は天板等で手を挟まないように注意を払いながら使用状態と折畳状態の変更を行わなければならないという問題があった。
【０００８】
本発明は、スタックテーブルを使用状態又は折畳状態へ変更する際に手指を挟むことを防止する技術の提供を課題とする。
【課題を解決するための手段】
【０００９】
本発明は、上述した課題を解決するため、天板が水平状態又は起立状態となるように脚の上部と回動自在に接続されるとともに、当該天板を水平状態又は起立状態に維持するロック機構を覆い、前記回動時に前記脚の上部と対向する外面が、前記回動の軸と直交する面内にて前記回動の軸を中心とした円弧状に形成されているロック機構カバーを設けることとした。
詳細には、本発明は、
使用状態と折畳状態とに変更自在なスタックテーブルであって、
使用状態において水平状態となり、折畳状態において起立状態となる天板と、
前記天板の裏側の両側に設けられ、当該天板を支持する脚と、
前記天板の裏側に固定され、前記天板が水平状態又は起立状態となるように前記脚の上部と回動自在に接続されるとともに、当該天板を水平状態又は起立状態に維持するロック機構と、
前記ロック機構を覆い、前記回動時に前記脚の上部と対向する外面が、前記回動の軸と直交する面内にて前記回動の軸を中心とした円弧状に形成されているロック機構カバーと、を備える。
【００１０】
前記ロック機構は、前記天板を起立状態とした場合に前記天板の裏側と前記脚とを所定距離以上離間させた状態で維持しても良い。
【００１１】
前記スタックテーブルは、前記ロック機構と接続され、当該スタックテーブルを前記使用状態又は前記折畳状態に変更するレバーを備え、
前記レバーは、基端が前記ロック機構と回動自在に接続され、前記基端を中心に先端を前記天板側へ回動させた場合に前記天板の維持を解除し、前記基端を中心に先端を前記天板と反対側へ回動させた場合に前記天板を水平状態又は起立状態に維持させ、前記基端から前記先端にかけて前記天板から離れるように湾曲して形成されても良い。
【００１２】
前記スタックテーブルは、一端が前記ロック機構と回動自在に接続され、他端側に荷物を吊り下げる鉤状部が設けられたフックを更に備え、
前記天板が回動された場合でも前記フックが自重又は前記荷物の重さによって垂下されても良い。
【００１３】
前記スタックテーブルは、前記天板の両側に位置する前記脚の間に渡された幕板と、
前記幕板の外面に設けられ、名前等の表記がなされたシート材を保持するホルダーと、を備えても良い。
【００１４】
前記スタックテーブルは、前記天板に取り付けられ、物品を立てた状態で保持するスタンドを更に備え、
前記スタンドは、
前記物品が載置される載置部と、
前記物品が立て掛けられる背板と、
前記載置部及び背板を前記天板に対して取り付ける取付部と、を有しても良い。
【００１５】
前記スタックテーブルは、前記天板の両側に位置する前記ロック機構カバーの間で、前記天板の裏側に固定された棚を更に備え、
前記天板の裏面と直交する方向において、前記天板から前記棚の外面までの距離が、前記天板から前記ロック機構カバーの外面までの距離の最大値よりも小さくなるように、前記棚が形成されても良い。
【００１６】
前記スタックテーブルは、配線を載置するトレイと、
前記トレイを前記幕板の内側面に固定する固定部と、
を有する配線受けを更に備えても良い。
【００１７】
前記スタックテーブルは、当該スタックテーブルを他のスタックテーブルと連結する連結部材を更に備え、
前記連結部材が、
マグネットと、
前記マグネットを挟持する一対のヨークと、
対をなす前記ヨークのそれぞれの一端を露出させた状態で前記ヨーク及び前記マグネッ
トを収容する本体部と、
前記本体部の前記ヨークを露出させた面を前記天板の端面と面一にして前記本体部を前記天板の裏側に固定する固定部と、を備え、
前記本体部が、前記ヨークを露出させた面から所定距離突出させた位置までの間で移動可能に前記ヨークを保持しても良い。
【発明の効果】
【００１８】
本発明によれば、スタックテーブルを使用状態又は折畳状態へ変更する際に手指を挟むことを防止する技術を提供することができる。
【図面の簡単な説明】
【００１９】
【図１】図１は、実施形態に係る使用状態のスタックテーブルの正面図である。
【図２】図２は、実施形態に係る使用状態のスタックテーブルの左側面図である。
【図３】図３は、実施形態に係る使用状態のスタックテーブルの背面図である。
【図４】図４は、実施形態に係る使用状態のスタックテーブルの右側面図である。
【図５】図５は、実施形態に係る使用状態のスタックテーブルの平面図である。
【図６】図６は、実施形態に係る使用状態のスタックテーブルの底面図である。
【図７】図７は、実施形態に係る使用状態のスタックテーブルを奥側から見た斜視図である。
【図８Ａ】図８Ａは、実施形態に係る折畳状態のスタックテーブルの左側面図である。
【図８Ｂ】図８Ｂは、実施形態に係る折畳状態のスタックテーブルの右側面図である。
【図９Ａ】図９Ａは、実施形態に係る使用状態のロック機構の左側面図である。
【図９Ｂ】図９Ｂは、実施形態に係る使用状態においてロック機構のレバーを解除側へ操作した状態を示す図である。
【図９Ｃ】図９Ｃは、実施形態に係るロック機構のレバーを解除側へ操作し、折畳状態とした図である。
【図９Ｄ】図９Ｄは、実施形態に係る折畳状態のロック機構の左側面図である。
【図１０】図１０は、実施形態に係る左側ロック機構の分解斜視図である。
【図１１Ａ】図１１Ａは、実施形態に係る使用状態のロック機構の右側面図である。
【図１１Ｂ】図１１Ｂは、実施形態に係る折畳状態のロック機構の右側面図である。
【図１２】図１２は、実施形態に係る右側ロック機構の分解斜視図である。
【図１３】図１３は、実施形態に係る折畳状態のスタックテーブルをスタックした状態を示す図である。
【図１４】図１４は、天板及びロック機構カバーの回動時の軌跡を示す図である。
【図１５Ａ】図１５Ａは、使用状態及び折畳状態におけるフックの状態を示す図である。
【図１５Ｂ】図１５Ｂは、使用状態及び折畳状態におけるフックの状態を示す図である。
【図１６】図１６は、ネームプレートを幕板の背面に装着した状態を示す図である。
【図１７】図１７は、ネームプレートの表示面を示す斜視図である。
【図１８】図１８は、ネームプレートの取付面を示す斜視図である。
【図１９】図１９は、シート材を保持する際の説明図である。
【図２０】図２０は、ネームプレートの横断面図である。
【図２１Ａ】図２１Ａは、タブレットスタンドを装着したスタックテーブルの背面側を視た場合の斜視図である。
【図２１Ｂ】図２１Ｂはタブレットスタンドを装着したスタックテーブルの正面側を視た場合の斜視図である。
【図２２】図２２は、タブレットスタンドにタブレットを載置した例を示す図である。
【図２４】図２４は、変形例３に係る折畳状態のスタックテーブルをスタックした状態を示す図である。
【図２５】図２５は、配線受けを装着したスタックテーブルの正面側を視た場合の斜視図である。
【図２６】図２６は、配線受けを装着したスタックテーブルの背面側を視た場合の斜視図である。
【図２７】図２７は、配線受けの取り付け方法の説明図である。
【図２８】図２８は、連結部材の構成を示す図である。
【図２９】図２９は、天板に取り付けた連結部材を示す図である。
【図３０】図３０は、連結部材により連結した例を示す図である。
【図３１】図３１は、連結部材により連結した例を示す図である。
【図３２】図３２は、正面図である。
【図３３】図３３は、スタックテーブルの左側面図である。
【図３４】図３４は、スタックテーブルの背面図である。
【図３５】図３５は、スタックテーブルの右側面図である。
【図３６】図３６は、スタックテーブルの平面図である。
【図３７】図３７は、スタックテーブルの底面図である。
【図３８】図３８は、スタックテーブルの参考斜視図である。
【発明を実施するための形態】
【００２０】
次に、本発明の実施形態について図面に基づいて説明する。なお、以下で説明する実施形態は本発明を実施するための例示であり、本発明は以下で説明する態様に限定されない。
＜実施形態＞
＜概要＞
実施形態に係るスタックテーブル２０は、図１〜図７に示すような使用状態と、図８Ａ、図８Ｂに示すような折畳状態とに変更自在である。また、実施形態に係るスタックテーブル２０は、図８Ａ、図８Ｂに示すように、折畳状態では、水平方向に重ねて並べることができる。スタックテーブル２０の側面かつ、天板１の裏側に設けられたレバー２９を操作することで、使用状態から折畳状態への変更、又は折畳状態から使用状態への変更が可能である。以下、本明細書では、特に言及する場合を除いて、スタックテーブル２０の幕板７側を“奥側”と定義し、反対側を“手前側”と定義し、奥側から手前側への方向と直交し、スタックテーブル２０の正面に向かって右側を“右”と定義し、反対側を“左”と定義する。また、スタックテーブル２０の天板１側を“上方”と定義し、脚３側を“下方”と定義する。
【００２１】
＜構成＞
実施形態に係るスタックテーブル２０は、天板１、脚３、ロックユニット１０２、幕板７、キャスター５を備える。
【００２２】
天板１は、長方形であり、幅方向（長手方向）の両側に設けられた脚３によって支持されている。詳細には、天板１は、天板１の裏面に固定されたロックユニット１０２を介して脚３と接続され、脚３によって支持されている。天板１は、図１〜図７に示すような使用状態では、水平状態となる。水平状態は、天板１が厳密に水平である必要は無く、例えば、天板１上に筆記具等を置くことができる、或いは天板上で作業できるような状態であればよい。したがって、例えば、天板１は、ドラフティングテーブルのように手前側（幕板７の反対側）が奥側よりも低くなるように傾斜していてもよい。また、図８Ａ、図８Ｂに示す折畳状態において、天板１は、起立状態となる。起立状態は、天板１が厳密に垂直
である必要は無く、水平状態と比較して天板１が起立することで、天板の奥行長さが短くなり、スタックテーブル２０を水平方向に重ねて並べることが可能な状態を含む。天板１が垂直になることで天板の奥行長さが最も短くなるが、本実施形態のように天板１は傾いていてもよい。例えば、天板１を垂直にすると、重心の位置が高くなると共に、重心の位置が偏るため、本実施形態では、水平面に対して天板１の角度θ（図８Ａ）を４３°としている。起立状態の天板１の角度θが小さくなり過ぎると、スタック時の天板の奥行長さが長くなって、収納性が悪くなる。また、起立状態の天板１の角度θが大きくなり過ぎると、重心位置の偏りが大きくなる。この為、例えば、天板１の角度θを３０°〜６０°、望ましくは３５°〜５０°、更に望ましくは４０°〜４５°とする。
【００２３】
脚３は、天板１を支持する。脚３は、天板１に向かって左側方に設けられた左脚３Ｌと、右側方に設けられた右脚３Ｒによって構成されている。この左脚３Ｌは、上部で互いに接続され、前方の斜め下へ延びる左前脚３２Ｌと、後方の斜め下へ延びる左後脚３３Ｌとによって構成されている。同様に、右脚３Ｒは、上部で互いに接続され、前方の斜め下へ延びる右前脚３２Ｒと、後方の斜め下へ延びる右後脚３３Ｒとによって構成されている。脚３の下端、即ち、左前脚３２Ｌ、左後脚３３Ｌ、右前脚３２Ｒ、右後脚３３Ｒの下端には、それぞれキャスター５が接続されている。左前脚３２Ｌ、左後脚３３Ｌ、右前脚３２Ｒ、右後脚３３Ｒは、断面が矩形、六角形、八角形、円形、楕円形など、任意の形状で形成されてもよい。また、本実施形態に係る脚３は、一例にすぎず、天板１の両側に設けられた２本の支柱と、各支柱の下端と接続された奥行方向に延びる水平部材によって構成された逆Ｔ字型のものや、支柱が分岐して逆Ｙ字型のものなど、他の形状の脚を適宜用いることができる。
【００２４】
ロックユニット１０２は、左脚３Ｌを天板１に接続する左側ユニット１２Ｌと、右脚３Ｒを天板１に接続する右側ユニット１２Ｒによって構成されている。左側ユニット１２Ｌには、ロック機構カバー２Ｌやレバー２９が設けられている。
【００２５】
ロック機構カバー２Ｌは、図９Ａ〜図９Ｄに示すロック機構１０Ｌを覆っている合成樹脂製のカバーである。ロック機構カバー２Ｌは、後部２７の外形が、天板１を水平状態又は起立状態に回動する際の回動軸２３（図２）と直交する面内、即ち図２に示す側面図内にて前記回動の軸２３を中心とした円弧状に形成されている。
【００２６】
ロック機構カバー２Ｌ内には、図９Ａ〜図９Ｄに示すように、ロック機構１０Ｌが設けられている。図９Ａ〜図９Ｄは、説明のため、カバー２Ｌ及び、左脚３Ｌ上部のカバー３１Ｌを省略して示した説明図である。ロック機構１０Ｌは、天板１が使用状態又は折畳状態となるように、天板１の裏側に固定された支持枠２２が、左脚３Ｌの上端に設けられた支持板２１Ｌに、主軸２３を介して回動自在に接続されている。
【００２７】
図１０は、ロック機構１０Ｌの分解斜視図である。図１０に示すように、ロック機構１０Ｌには、支持板２１Ｌ、支持枠２２、主軸２３、係止腕２４、枢軸２５が設けられている。
【００２８】
支持枠２２は、前後方向に長手で、上板部２２１と、当該上板部２２１の両側部分を下方へ平行に下げた側板部２２２により、下方へ開放した断面略コ字形に形成され、溝２２９の三方を囲んでいる。
【００２９】
支持板２１Ｌは、左脚３Ｌの上端に垂直に固設される板状の部材であり、上端付近には、主軸２３を通す貫通穴２１３が形成され、前端部２１０が、貫通穴２１３を中心とした扇状に形成されている。この前端部２１０の上部には前方に向けて開口するように切り欠いた第一係止部２１１が形成され、当該前端部２１０の第一係止部２１１より下方には第
二係止部２１２が形成されている。支持板２１Ｌの上端前部２１５は水平に形成され、支持板２１Ｌの上端後部２１６は、天板１を起立させる際の回動角を規制するため、水平な上端前部２１５に対して所定の角度を有するように後方斜め下へ向けて傾斜した辺として形成されている。
【００３０】
係止腕２４は、支持枠２２の側板部２２２と平行に設けられた側板２４１と、当該側板２４１の下端付近に設けられた係止ピン２４４とから構成され、側板２４１の上端部付近に枢軸２５を通す穴２４３が設けられている。
【００３１】
支持板２１Ｌの下部の左側面には左前脚３２Ｌの上端部が固定されており、支持板２１Ｌの下部の右側面には左後脚３３Ｌの上端部が固定されている。即ち、左前脚３２Ｌと左後脚３３Ｌとは、上端部が支持板２１Ｌを介して左右に異なる位置で接続されている。
【００３２】
一方、支持枠２２は、上板部２２１を天板１の裏面に接して螺子等（不図示）で固定される。この支持枠２２の溝２２９に支持板２１Ｌの上部が挿入され、主軸２３が支持枠２２の穴２２３と支持板２１Ｌの穴２１３に挿入され、支持枠２２が支持板２１Ｌに対して回動可能に接続される。また、支持枠２２の溝２２９に係止腕２４の上部が挿入され、枢軸２５が支持枠２２の穴２２４と係止腕２４の穴２４３に挿入される。この係止腕２４の穴２４３と枢軸２５は、円周の一部に平面部２４３ａ，２５ａを有し、この２４３ａ，２５ａの係合によって回り止めされる。この支持枠２２内で係止腕２４と接続した枢軸２５は、支持枠２２外に位置する左側端にレバー２９の基部が被せられて固定される。
【００３３】
ロックユニット１０２の右側ユニット１２Ｒには、図４に示すようにロック機構カバー２Ｒやフック２８が設けられている。
【００３４】
ロック機構カバー２Ｒは、図１１Ａ，図１１Ｂに示すロック機構１０Ｒを覆っている合成樹脂製のカバーである。ロック機構カバー２Ｒは、後部２７の外形が、天板１を水平状態又は起立状態に回動する際の回動軸２３（図４）と直交する面内、即ち図４に示す側面図内にて前記回動の軸２３を中心とした円弧状に形成されている。
【００３５】
ロック機構カバー２Ｒ内には、図１１Ａ，図１１Ｂに示すように、ロック機構１０Ｒが設けられている。即ち、ロック機構カバー２Ｒは、ロック機構１０Ｒを覆っている。
【００３６】
図１１Ａ，図１１Ｂは、説明のため、カバー２Ｒ及び、右脚３Ｒ上部のカバー３１Ｒを省略して示した説明図である。ロック機構１０Ｒは、天板１が使用状態又は折畳状態となるように、天板１の裏側に固定された支持枠２２が、右脚３Ｒの上端に設けられた支持板２１Ｒに、主軸２３を介して回動自在に接続されている。
【００３７】
図１２は、ロック機構１０Ｒの分解斜視図である。図１２に示すように、ロック機構１０Ｒには、支持板２１Ｒ、支持枠２２、主軸２３、枢軸２５が設けられている。
【００３８】
支持枠２２は、前後方向に長手で、上板部２２１と、当該上板部２２１の両側部分を下方へ平行に下げた側板部２２２により、下方へ開放した断面略コ字形に形成され、溝２２９の三方を囲んでいる。
【００３９】
支持板２１Ｒは、右脚３Ｒの上端に垂直に固設される板状の部材であり、上端付近には、主軸２３を通す貫通穴２１３が形成され、前端部２１０が、貫通穴２１３を中心とした扇状に形成されている。この前端部２１０の上部には前方に向けて開口するように切り欠いた第一係止部２１１が形成され、当該前端部２１０の第一係止部２１１より下方には第二係止部２１２が形成されている。支持板２１Ｒの上端前部２１５は水平に形成され、上
端後部２１６は、天板１を起立させる際の回動角を規制するため、水平な上端前部２１５に対して所定の角度を有するように後方斜め下へ向けて傾斜した辺として形成されている。
【００４０】
支持板２１Ｒの下部の右側面には右前脚３２Ｒの上端部が固定されており、支持板２１Ｒの下部の右側面には右後脚３３Ｒの上端部が固定されている。即ち、右前脚３２Ｒと右後脚３３Ｒとは、上端部が支持板２１Ｒを介して左右に異なる位置で接続されている。
【００４１】
一方、支持枠２２は、上板部２２１を天板１の裏面に接して螺子等（不図示）で固定される。この支持枠２２の溝２２９に支持板２１Ｒの上部が挿入され、主軸２３が支持枠２２の穴２２３と支持板２１Ｒの穴２１３に挿入され、支持枠２２が支持板２１Ｒに対して回動可能に接続される。また、枢軸２５が支持枠２２の穴２２４に挿入され、支持枠２２の外に位置する右側端にフック２８の上端部２８ａが被せられて固定される。フック２８の下端には荷物を吊り下げる鉤状部２８ｂが形成されている。この枢軸２５は、支持枠２２の穴２２４に遊嵌され、フック２８が自由に回転できるように保持されている。
【００４２】
幕板７は、両側の端部が、図１に示すように左後脚３３Ｌ及び右後脚３３Ｒに固定され、左右の脚３Ｌ・３Ｒを接続している。幕板７は、正面側に、はり部材７１，７２が設けられている。
【００４３】
＜動作＞
次に、実施形態に係るスタックテーブル２０の動作について、使用方法と共に説明する。実施形態に係るスタックテーブル２０は、テーブルとして使用する使用状態では、図１〜図７に示すように、天板１を水平状態にして使用する。一方で、スタックテーブル２０を収容する場合には、図８Ａ、図８Ｂに示すように、実施形態に係るスタックテーブル２０は、天板１が起立した折畳状態とすることができる。折畳状態では天板１が起立することから、スタックテーブル２０は、図１３に示すように、天板１が重なるように、スタックテーブル２０同士を接近させて並べることができる。なお、本実施形態のスタックテーブル２０は、左後脚３３Ｌ・右後脚３３Ｒが、左前脚３２Ｌ・右前脚３２Ｒよりも内側に取り付けられているため、後脚３３Ｌ・３３Ｒと前脚３２Ｌ・３２Ｒとが干渉することなく、スタックテーブル２０同士を接近させて並べることができる。即ち、スタックテーブル２０を奥行き方向に一直線上に並べる、所謂平行スタックが可能になっている。
【００４４】
使用状態から折畳状態への変更、折畳状態から使用状態への変更は、スタックテーブル２０に向かって左側に設けられたレバー２９を操作することで行う。以下、図９Ａ〜図９Ｄ，図１１Ａ，図１１Ｂに基づいて、使用状態から折畳状態への変更を例に説明する。図９Ａに示すように、使用状態では、係止腕２４の係止ピン２４４が支持板２１Ｌの第二係止部２１２と係合している。係止腕２４は、不図示のばねにより、係止ピン２４４が第二係止部２１２と係合する方向に付勢されて、係合状態が維持されている。この状態では、天板１を持ち上げる方向に力がかかった場合でも、例えば主軸２３を中心として天板１を起立させようとしても、係止ピン２４４が第二係止部２１２と係合しているため支持枠２２の回動が規制され、水平状態が維持される。また、図９Ａ，図１１Ａに示すように天板１を水平とした状態では、支持板２１Ｌ・２１Ｒの上端前部２１５（図１０，図１２）に、支持枠２２の上板部２２１下面が当接し、例えば、主軸２３を中心として天板１の手前部分を下方へ下げる動きが規制されている。このように係止ピン２４４が第二係止部２１２と係合した状態では、天板１が水平に保たれ、使用状態が維持される。
【００４５】
ここで、レバー２９の先端が天板１の裏面側に近づくように、レバー２９を操作すると、係止腕２４を介して係止ピン２４４が回動し始め、係止ピン２４４と第二係止部２１２との係合が徐々に解除される。そして、図９Ｂに示すように、係止ピン２４４と第二係止
部２１２との係合が完全に解除されると、天板１の回動が自在となる。そこで、天板１の手前側を上方に移動させるか、若しくは、天板１の奥側（幕板７側）を下方に移動させることで、天板１は、主軸２３を中心に回動し、徐々に起立した状態となる。なお、天板を起立させる方向に回動させると、図９Ｃに示す所定の角度で、支持枠２２の上板部２２１下面が、支持板２１Ｌ・２１Ｒの上端後部２１６（図１０，図１２）に、当接し、天板１の手前部分を上げる動きが規制される。即ち、支持板２１Ｌ・２１Ｒの上端後部２１６と支持枠２２の上板部２２１下面との位置関係によって、天板１を起立させる際の回動角の上限を定めている。
【００４６】
図９Ｃに示すように、天板１を起立させた状態で、レバー２９の操作を止める、即ちレバー２９を開放すると、不図示のばねの付勢力により、レバー２９の先端が天板１の裏面から離れる方向に回動され、係止腕２４の係止ピン２４４が、支持板２１Ｌ・２１Ｒ側へ回動されて、図９Ｄに示すように、係止ピン２４４が、支持板２１Ｌ・２１Ｒの第一係止部２１１と係合する。
【００４７】
この係止ピン２４４と支持板２１Ｌ・２１Ｒの第一係止部２１１の係合により、支持枠２２の回動が規制されるため、天板１の起立状態、即ち、スタックテーブル２０の折畳状態が維持されている。折畳状態から使用状態への変更は、使用状態から折畳状態への変更と逆の動作を行えばよい。すなわち、レバー２９の先端が天板１の裏面側に近づくように、レバー２９を操作して、係止ピン２４４と第一係止部２１１の係合を解除することで、折畳状態から使用状態への変更が可能となる。
【００４８】
なお、本実施形態のスタックテーブル２０は、一人用のものを示しているため、左右方向の幅が狭く、片側（左側）のロック機構１０Ｌにのみ係止腕２４等のラッチ機構を設けている。これに限らず、スタックテーブル２０の幅を長くした場合、例えば１２００ｍｍ程度とした場合には、ロック機構１０Ｌ・１０Ｒを左右対称に形成し、左側のロック機構１０Ｌと同様に右側のロック機構１０Ｒに支持板２１Ｒと係合する係止腕２４等のラッチ機構を設けても良い。この場合、左右のロック機構１０Ｌ・１０Ｒにそれぞれ独立してレバー２９を設けても良いし、同一の枢軸２５を左右のロック機構１０Ｌ・１０Ｒに渡し、連動して操作するようにしても良い。
【００４９】
＜作用効果＞
以上説明した実施形態に係るスタックテーブル２０は、ロック機構１０Ｌ・１０Ｒを覆うロック機構カバー２Ｌ・２Ｒの後部２７の外形、即ち、回動時に脚３Ｌ・３Ｒの上部と対向する外面が、回動の軸２３と直交する面内にて回動の軸２３を中心とした円弧状に形成されていることにより、回動時に当該外形が変位せず、手指や衣類等がロック機構カバー２Ｌ・２Ｒと脚３Ｌ・３Ｒとの間に挟まれることを防止できる。
【００５０】
図１４は、天板１及びロック機構カバー２Ｌの回動時の軌跡を示す図である。例えば、図１４において、状態４ａは、使用状態の天板１及びロック機構カバー２Ｌを示し、状態４ｂは、折畳状態の天板１及びロック機構カバー２Ｌを示す。図１４に示すように、ロック機構カバー２Ｌにおける後部２７の外形は、状態４ａと状態４ｂとの間で回動した場合でも、回動の軸２３を中心とした円４１に沿って動くため、回動の軸２３からの距離が変わらず、ロック機構カバー２Ｌと脚３Ｌとの間隔が狭まることがないため、手指や衣類等が挟まれることを防止できる。
【００５１】
また、図１４に示すように、天板１を起立状態とした場合に天板１の裏側と脚３Ｌとを所定距離以上離間させた状態で維持し、起立状態の天板１と脚３Ｌとの間に所定の空間４３を確保することで、手指や衣類等が挟まれることを防止できる。同様に、天板１を水平状態とした場合にロック機構カバー２Ｌと脚３Ｌとの間に所定の空間４２を確保すること
で、手指や衣類等が挟まれることを防止できる。
【００５２】
更に、本実施形態におけるスタックテーブル２０のレバー２９は、図９Ａに示すように、基端から先端にかけて天板１から離れるように湾曲して形成されている。これにより、レバー２９は、図９Ｂに示すように、基端を中心として先端を天板１側へ回動させ、天板１の維持を解除する操作を行った場合でも、レバー２９の先端と天板１との間に、所定距離以上の空間が残るため、レバー２９の先端と天板１との間で手指が挟まれることを防止できる。
【００５３】
このように本実施形態におけるスタックテーブル２０は、ロック機構１０Ｌ・１０Ｒをロック機構カバー２Ｌ・２Ｒで覆ったため、ロック機構の隙間に手指の入る余地がなく、また、ロック機構カバー２Ｌ・２Ｒや天板１、レバー２９の先端で手指を挟むことが防止されるため、使用状態と折畳状態の変更に際して注意を払う箇所が少なくなり、当該変更を容易に行うことができる。従って、スタックテーブル２０の収容や、収容されているスタックテーブルの再配置といった運用が容易になる。
【００５４】
図１５Ａ，図１５Ｂは、使用状態及び折畳状態におけるフック２８の状態を示す図である。フック２８は、前述のようにロック機構１０Ｒの支持枠２２（図１１Ａ）に、軸支され、自由に回転できるように取り付けられている。このため、図１５Ａに示すように、フック２８は、天板の傾きにかかわらず、自重によって常に垂下されている。即ち、下端の鉤状部２８ｂが上向きに湾曲した姿勢が維持される。
【００５５】
これにより例えば、図１５Ｂに示すように、荷物５１をかけたまま、使用状態と折畳状態とを変更した場合でも、フック２８の向きが変わらないため、荷物５１が落下してしまうことが無い。従って、スタックテーブル２０を収容する際、荷物５１をフックにかけた状態で、スタックテーブル２０を折り畳み、移動してスタックした後、荷物をフックからとるといった利用ができる。また、収容されているスタックテーブル２０を再配置する際にも同様に、折畳状態で荷物５１をフックにかけた状態で、移動し、再配置場所で使用状態に変更することができる。このためユーザは、荷物５１を手に持たずにスタックテーブル２０の収容や再配置を行うことができ、スタックテーブル２０の運用が容易になる。
【００５６】
＜変形例１＞
会議や双方向型授業、能動的学修などでは、机上にネームプレートを置くことがあるが、スタティックテーブルを折畳状態に変更する場合には机上のネームプレートを回収する必要があり、使用状態に戻した際にネームプレートを置き直すことになり、不便であるという問題があった。
【００５７】
そこで、本例では、ネームプレート６を幕板７の背面に装着し、スタックする場合でも回収する必要を無くして、取扱いを容易にすることを課題とする。
【００５８】
上記実施形態のスタックテーブル２０は、適宜オプションを装着することができる。図１６は、ネームプレート６を幕板７の背面に装着した状態を示す図、図１７は、ネームプレート６の表示面を示す斜視図、図１８はネームプレート６の取付面を示す斜視図、図１９は、シート材を保持する際の説明図、図２０はネームプレート６の横断面図である。
【００５９】
ネームプレート６は、図１７〜図２０に示すように、枠体６１及び背板６２を備え、背板６２の裏面（取り付け面）に取り付け用の爪６３を備えている。この爪６３を幕板７の長穴７９に挿入し、爪６３と背板６２の裏面との間に形成された溝６３ａ（図２０）に幕板７を挟み込むようにネームプレート６をスライドさせることで、爪６３が幕板７の正面にかかり、ネームプレート６が固定される。
【００６０】
そして、図１９に示すように、シート材６８の一端を枠体６１と背板６２の隙間６３ｂに挿入して枠体６１の内側面６１ｃ（図２０）に突き当て、当該端部の表面を枠体６１の裏面６１ａに当接させた状態でシート材６８を撓ませながら他端を背板６２と枠体６１の隙間から枠体６１の裏面６１ａ側へ差し入れる。これによりシート材６８の下端が枠体６１の下辺に載置され、両側端が枠体６１の裏面６１ａに押さえられて保持される。
【００６１】
このように本例のネームプレート６は、シート材を保持するホルダーとなっている。本例のネームプレート６は、縦１００ｍｍ×横１４８ｍｍのシート材、即ち、はがきサイズのカードを保持できるようにしている。これに限らず、ネームプレート６が、任意のサイズのシート材を保持するように設定できるが、例えば、写真のＬ版やキャビネサイズ、Ａ５サイズ、名刺サイズ等、定型のシート材を保持できるように設定することが望ましい。これにより専用のシート材を用意することなく、市販の用紙にプリンターで名前等を印刷してカードを作成でき、ネームプレート６で保持するカード（シート材）の作成が容易になる。
【００６２】
ネームプレート６による表記としては、例えば、名前やＩＤ、グループ名、エリア名、受験番号等の表記が挙げられる。これにより、双方向型授業や能動的学修等でのグループ分けの支援、或いはオープンスペースにおけるエリアの識別等に利用できる。
【００６３】
本例のネームプレート６は、幕板７に取り付けられるため、机の上にネームプレートを載置する場合と比べ、スタックする場合でも回収する必要が無く、取扱いが容易である。また、ネームプレート６は、使用状態でも折畳状態でも視認でき、スタックテーブル２０の収容時や配置時に、このネームプレート６の表記に基づいた収容や配置を行うことができ、スタックテーブル２０の運用が容易になる。
【００６４】
＜変形例２＞
近年、タブレット型のコンピュータ（以下、単にタブレットとも称する）を授業や会議に用いることが多くなっているが、タブレットを机上に置くことで多くのスペースを占有してしまうと、他の作業に使用できるスペースが限られてしまうという問題があった。
【００６５】
そこで、本例では、タブレットスタンドを用いてタブレットを立てた状態に保持してスペースの有効利用を図ることを課題とする。
【００６６】
図２１Ａは、タブレットスタンド８を装着したスタックテーブル２０の背面側を視た場合の斜視図、図２１Ｂはタブレットスタンド８を装着したスタックテーブル２０の正面側を視た場合の斜視図、図２２は、タブレット５２を載置した例を示す図である。
【００６７】
タブレットスタンド８は、タブレット５２が立て掛けられる背板８１と、背板８１の下端を斜め上方へ立ち上げて形成され、タブレット５２が載置される載置部８２と、載置部８２及び背板８１を天板１に対して取り付ける取付部８３とを備えている。
【００６８】
取付部８３は、背板８１を天板１に対して所定の角度で支持する支持部８２１や、天板１の上面に当接して設けられる上板部８２３、支持部８２１と上板部８２３を接続して補強するリブ８２２、上板部８２３の後端から垂下した垂下部８２４、垂下部８２４下端から上板部８２３と平行に天板１を挿入可能な間隔を設けて形成された下板部８２５、下板部８２５に設けられたネジ穴（不図示）に螺合して下板部８２５の下から上へ貫通して設けられた固定ネジ８２６を備えている。
【００６９】
タブレットスタンド８は、図２１Ａに示すように、天板１の後部を上板部８２３と下板
部８２５との間に挿入するように嵌め、固定ネジ８２６を締めることで固定ネジ８２６の上端が天板１の裏面に当接し、上板部８２３と固定ネジ８２６によって天板１を締め付けることで固定される。このとき固定ネジ８２６の先端は、天板１の裏面に形成された左右方向に長手の溝１５（図６）に挿入されることになる。このため、固定ネジ８２６の先端と溝１５に係止され、後方への抜け止めがなされる。
【００７０】
そして、図２２に示すようにタブレット５２を載置部８２上に載置することで、タブレット５２を所定の角度で保持することができる。これによりタブレットの操作をし易くすると共に、天板１上を有効に利用できるようにしている。
【００７１】
また、本例のタブレットスタンド８は、固定ネジ８２６と溝１５との係合により、後方への移動が規制されているため、タブレット５２の画面に対してドラッグやタップといった操作を行った際に後方への荷重がかかったとしても、後方へ移動して外れてしまうことが無い。
【００７２】
なお、本例では、タブレット５２を立て掛けるスタンドの例を示したが、これに限らず、本や楽譜、文房具等を立てるスタンドであっても良い。
【００７３】
また、取り付けの支持部８２１と上板部８２３との接続をヒンジとし、リブ８２２を挿抜自在に構成することで、タブレットスタンド８を折り畳み可能とし、スタックテーブル２０の収納時には、タブレットスタンド８を折り畳んでスタックするようにしても良い。
【００７４】
＜変形例３＞
スタックテーブル２０の使用時に、不要な荷物まで机上に載せたのでは、使用できるスペースが限られてしまうため、不要な荷物を収納できるようにすることが望まれていた。
【００７５】
そこで、本例では、網棚９を天板１の裏面に装着することで収納場所を確保することを課題とする。
【００７６】
図２３は、スタックテーブル２０に網棚９を装着した例を示す図である。網棚９は、金属の線材９１と線材９２，９３とを直交するように組み合わせて底部を形成し、当該底部の側辺をなす線材９３の端部を上方へ立ち上げ、先端をループさせてネジを通す穴を形成し、このネジの穴が上下方向に向くように、各ループ部分を折り曲げてネジ止め部９３１を形成している。また、底部の四隅に立ち上げた線材９３の周囲に線材９４が券回され、接続されている。
【００７７】
この網棚９の各ネジ止め部９３１にネジを通して、天板１の裏面であって、左右のロックユニット１２Ｌ・１２Ｒの間に固定する。これにより、網棚９に教科書等の荷物を置くことができる。
【００７８】
また、網棚９の下端は、左右のロック機構カバー２Ｌ・２Ｒの下端よりも上に形成されているため、図２４に示すように、網棚９を取り付けた状態でも、図１３に示した網棚９の無い状態と同様にスタックすることができる。
【００７９】
＜変形例４＞
机上でパーソナルコンピュータ等の電子機器を用いた際、電源コード等を床面に放置すると、配線が乱雑に絡みあって断線したり、ユーザが配線に足を引っかけたりするといった問題があった。
【００８０】
そこで、本例では、スタックテーブル２０に配線受け４０を装着することで、この問題
を解消する。
【００８１】
図２５は配線受け４０を装着したスタックテーブル２０の正面側を視た場合の斜視図、図２６は、配線受け４０を装着したスタックテーブル２０の背面側を視た場合の斜視図、図２７は、配線受け４０の取り付け方法の説明図である。
【００８２】
配線受け４０は、図２７に示すように、底板部４５、後壁４６、取付部４７、前壁４８を備えている。本例の配線受け４０は、金属板をプレス加工で折り曲げて形成されている。これに限らず、配線受け４０は、合成樹脂によって各部４５〜４８が一体成形されたものであっても良い。
【００８３】
底板部４５は、電源のコードやタップ、ＡＣアダプタ、通信ケーブル等の配線が載置される。本例の底板部４５は、上面視長方形である。後壁４６は、底板部４５の後辺から上方へ立ち上げられることで形成されている。後壁４６の上端には、略水平に前方へ伸ばした取付部４７が形成され、取付部４７の側端付近には、上下方向に貫通した取付穴４７１が設けられている。また、前壁４８は、底板部４５の前辺から垂直に立ち上げられており、後壁４６と平行に形成されている。前壁４８は、底板部４５に載置された配線が底板部４５から脱落するのを規制する。
【００８４】
本例の配線受け４０は、幕板７のはり部材７１に固定される。はり部材７１は、金属板をプレス加工で折り曲げて形成された中空の部材であり、前板部７１１と、前板部７１１の上辺から奥側へ延びる上板部７１２と、前板部７１１の下辺から奥側へ延びる下板部７１３と、上板部７１２，下板部７１３の後端から幕板７に沿って形成され、幕板７に接続される接続部７１４とを備えている。下板部７１３には、上下方向に貫通した取付穴７１９が設けられている。
【００８５】
配線受け４０は、取付部４７の取付穴４７１と、はり部材７１の取付穴７１９とを合わせるように取付部４７を下板部７１３に当接した状態で、プラスチッククリップ４７２が取付穴４７１，７１９に挿入され、はり部材７１に固定される。
【００８６】
このように本例のスタックテーブル２０は、配線受け４０を有することにより、図２５に示すようにパーソナルコンピュータＰＣの電源コードＰ１やＡＣアダプタＰ２を収容できるので、床面上に配線が乱雑に配されることがなく、ユーザが配線に足を引っかけることや、配線が断線するといったことが防止される。
【００８７】
特に本例のスタックテーブル２０は、図２６に示すようにパーソナルコンピュータＰＣの電源コードＰ１を天板１と幕板７との隙間を通して配線受け４０に収容することができ、配線をスマートに収容できる。
【００８８】
＜変形例５＞
複数のスタックテーブル２０を連結部材で連結して配置したい場合があるが、床面に凹凸があると、スタックテーブル２０が傾く等して連結部材の位置がずれ、連結できないことがあった。
【００８９】
そこで、本例は、多少のずれがあっても連結が可能な連結部材の提供を課題とする。
【００９０】
図２８は、連結部材１００の構成を示す図、図２９は、天板に取り付けた連結部材１００を示す図、図３０，図３１は、連結部材１００により連結した例を示す図である。
【００９１】
図２８（Ａ），図２８（Ｂ）に示すように、連結部材１００は、マグネット１３、ヨー
ク１２、本体部１１、固定部１２０を備えている。
【００９２】
なお、図２８では、ヨーク１２の先端部１２１が露出している側が前方、その反対側を後方と定義し、前方から後方への方向と直交する方向を“側方”と定義する。また、固定部１２０の嵌合突部１１１側を“上方”と定義し、その反対側を “下方”と定義する。
この図２８における方向の定義は、連結部材１００に係る構成を説明するものであり、他の図における方向の定義とは別のものである。
【００９３】
本体部１１は、前面１１８から中央部分にかけて中空部を有し、この中空部にマグネット１３を挟持する一対のヨーク１２を収容し、この中空部の後端を後壁１４で閉塞している。
【００９４】
ヨーク１２は、先端部１２１の上下方向の長さが、他の部分と比べて短く形成され、段差１２２が形成されている。本体部１１は、前面１１８にヨーク１２の先端部１２１が遊嵌される開口１１７を有しており、この開口１１７を介してヨーク１２の先端部１２１が本体部１１の外部に露出されている。ヨーク１２は、本体部１１によって、図２８における前後方向に移動可能に保持されている。即ち、ヨーク１２は、先端部１２１が開口１１７を介して突出する方向、及び先端部１２１が本体部１１内に戻る方向に移動可能となっている。なお、ヨーク１２の後方への移動は、後壁１４に突き当たることで規制される。このヨーク１２の後端が後壁１４に当接した状態では、先端部１２１の前面が本体部１１の前面１１８と面一となる。また、ヨーク１２の前方への移動は、段差１２２が本体部１１の内壁に突き当たることで規制される。更に、ヨーク１２は、前後方向に限らず、上下方向に移動可能に保持されても良い。
【００９５】
前面１１８に露出した一対の先端部１２１は、一方がＳ極、他方がＮ極となっており、全ての連結部材１００において同じ極性の配置となっている。例えば、左右に並べて配置した先端部１２１の左をＳ極、右をＮ極とした場合は、連結するスタックテーブル２０に取り付ける全ての連結部材１００において左をＳ極、右をＮ極と配置する。これとは逆に、右をＳ極、左をＮ極とした場合には、全ての連結部材１００において右をＳ極、左をＮ極と配置する。これにより連結部材１００の前面（連結面）１１８を向い合せた場合、磁力によって引き合い連結される。
【００９６】
本体部１１の上面には、嵌合突部１１１が立設され、本体部１１の上板部１１９の後部には、上下方向に貫通した取付穴１１２が設けられている。これら嵌合突部１１１、上板部１１９、取付穴１１２、取り付け用のネジ（不図示）が固定部１２０を構成している。
【００９７】
連結部材１００を取り付ける際には、天板１裏面の所定位置に設けられた嵌合穴（不図示）に、嵌合突部１１１を嵌合させ、連結面（前面）１１８を天板１の縁と揃え、取付穴１１２を通してネジ（不図示）で固定する。この嵌合突部１１１と、取付穴１１２を介したネジの２点で固定されることにより、連結部材１００の回り止めがなされる。これにより連結部材１００は、図２９に示すように天板１の裏面に固定される。図２９の例では、ユーザが座る正面以外の三辺に二つずつ連結部材１００を取り付けている。なお、これに限らず、任意の数の連結部材１００を任意の位置に取り付けても良い。
【００９８】
図３０では、四つのスタックテーブル２０の背面を合わせて連結した例を示している。また、図３１では、中央に空間を設けて四つのスタックテーブル２０を連結した例を示している。
【００９９】
本例では、連結部材１００のヨーク１２を移動可能に保持したため、床の凹凸等によって連結部材１００の位置にずれが生じた場合でも、ヨーク１２の移動によって、このずれ
を補うため、確実に連結を行うことができる。
【０１００】
＜その他＞
上記実施形態では、平行スタックテーブルを例に説明したが、上記実施形態及び変形例は、サイドスタックテーブルにも適用可能である。
【０１０１】
図３２〜図３８は、スタックテーブル２０の意匠を示す図である。図３２は正面図、図３３は左側面図、図３４は背面図、図３５は右側面図、図３６は平面図、図３７は底面図、図３８は参考斜視図である。
【０１０２】
以上、本発明の好適な実施形態を説明したが、本発明に係るスタックテーブルはこれらに限らず、可能な限りこれらの組合せを含むことができる。
【符号の説明】
【０１０３】
１     天板
２Ｌ・２Ｒ    ロック機構カバー
３     脚
３Ｌ   左脚
３Ｒ   右脚
５     キャスター
６     ネームプレート
７     幕板
８     タブレットスタンド
９     網棚
１０Ｌ・１０Ｒ       ロック機構
１１   本体部
１２   ヨーク
１２Ｌ 左側ユニット
１２Ｒ 右側ユニット
１０２ ロックユニット
１３   マグネット
１４   後壁
１５   溝
２０   スタックテーブル
２１Ｌ・２１Ｒ       支持板
２２   支持枠
２３   主軸
２４   係止腕
２５   枢軸
２８   フック
２９   レバー
３１Ｌ・３１Ｒ       カバー
３２Ｌ 左前脚
３２Ｒ 右前脚
３３Ｌ 左後脚
３３Ｒ 右後脚
１００ 連結部材
【図１】
0006590305.tif 000002
【図２】
0006590305.tif 000003
【図３】
0006590305.tif 000004
【図４】
0006590305.tif 000005
【図５】
0006590305.tif 000006
【図６】
0006590305.tif 000007
【図７】
0006590305.tif 000008
【図８Ａ】
0006590305.tif 000009
【図８Ｂ】
0006590305.tif 000010
【図９Ａ】
0006590305.tif 000011
【図９Ｂ】
0006590305.tif 000012
【図９Ｃ】
0006590305.tif 000013
【図９Ｄ】
0006590305.tif 000014
【図１０】
0006590305.tif 000015
【図１１Ａ】
0006590305.tif 000016
【図１１Ｂ】
0006590305.tif 000017
【図１２】
0006590305.tif 000018
【図１３】
0006590305.tif 000019
【図１４】
0006590305.tif 000020
【図１５Ａ】
0006590305.tif 000021
【図１５Ｂ】
0006590305.tif 000022
【図１６】
0006590305.tif 000023
【図１７】
0006590305.tif 000024
【図１８】
0006590305.tif 000025
【図１９】
0006590305.tif 000026
【図２０】
0006590305.tif 000027
【図２１Ａ】
0006590305.tif 000028
【図２１Ｂ】
0006590305.tif 000029
【図２２】
0006590305.tif 000030
【図２３】
0006590305.tif 000031
【図２４】
0006590305.tif 000032
【図２５】
0006590305.tif 000033
【図２６】
0006590305.tif 000034
【図２７】
0006590305.tif 000035
【図２８】
0006590305.tif 000036
【図２９】
0006590305.tif 000037
【図３０】
0006590305.tif 000038
【図３１】
0006590305.tif 000039
【図３２】
0006590305.tif 000040
【図３３】
0006590305.tif 000041
【図３４】
0006590305.tif 000042
【図３５】
0006590305.tif 000043
【図３６】
0006590305.tif 000044
【図３７】
0006590305.tif 000045
【図３８】
0006590305.tif 000046